(57)【特許請求の範囲】
【請求項１】
空気中の水分を吸湿する除湿剤が収容された包装体を有する除湿器であって、
空気中の水分の透過を遮断する非透気シートによって密閉空間を形成するとともに、該密閉空間内を、空気中の水分の透過を許容する透気シートによって、前記除湿剤が収容された収容空間、及び使用時に開口される開口空間に区画してなる前記包装体と、
前記包装体を収容する容器体と、
該容器体の上部開口部を覆うとともに通気口を有する蓋体と、
を備え、
前記透気シートを前記通気口が設けられた前記蓋体の内側面に沿って配置可能な大きさに設定し、当該蓋体に、前記容器体に内嵌するとともに前記透気シートを内側に配置した状態で位置規制する位置規制部を設ける一方、
非透水性フィルムで構成された前記非透気シートの面積を前記透気シートより広く設定し、該透気シートを広げた状態で前記非透気シートが形成する前記収容空間内に水分を貯留可能に構成し、
前記蓋体を前記容器体に装着した状態で前記蓋体に沿って配置された前記透気シートの下部であって前記容器体の内部に前記収容空間を配設したことを特徴とする除湿器。
【請求項２】
前記非透気シートからなる袋体の開口部側を、前記透気シートで閉鎖して前記収容空間を形成し、前記透気シートより開口縁側にて、前記袋体を接合し、この接合部分と前記透気シートとの間に前記開口空間を形成したことを特徴とする請求項１記載の除湿器。
【請求項３】
前記透気シート及び前記非透気シートを接合して両シート間に前記収容空間を形成するとともに、前記透気シートを折り返して対面させた状態で周縁部にて接合し、対面する前記透気シート間に前記開口空間を形成したことを特徴とする請求項１記載の除湿器。
【請求項４】
前記蓋体の前記位置規制部より外側に、前記容器体の前記上部開口部に外嵌する周壁を設けたことを特徴とする請求項１記載の除湿器。
【発明の詳細な説明】
【０００１】
【発明の属する技術分野】
本発明は、除湿剤、芳香剤、消臭剤、脱臭剤などが収容された包装体及び除湿器に関する。
【０００２】
【従来の技術】
従来、湿気を取る際には、除湿器が用いられていた。
【０００３】
この除湿器は、除湿剤を収容したプラスチック容器からなり、該プラスチック容器の開口部は、透気性シートで覆われていた。この透気性シート上には、非透気性のシートが積層されており、使用開始前の除湿剤による吸湿を防止できるように構成されている。
【０００４】
また、全面乃至一部が透気性シートで構成された袋体内部に除湿剤を封入した袋状除湿剤（器）やプラスチックの成型容器を用い除湿剤薬剤のみを詰め替えるようにした詰め替え式の除湿器が知られている。これら袋状除湿剤（器）や詰替用除湿薬剤は、流通時には全体を非透気性の包装体で包装し、使用開始前の除湿剤による吸湿を防止するように構成されており、使用時には、包装体を開封し内部の薬剤のみを使用するものであった。
【０００５】
【発明が解決しようとする課題】
しかしながら、前者のような除湿器にあっては、使用開始時に非透気性のシートを剥離する構造上、吸湿効率を高めるために大面積に設定された大きさの前記シートがゴミとして廃棄されることとなる。このとき、非透気性の前記シートは剥がし易く、このシートに積層された透気性シートは剥がれ無いようにしなければならない。このため、両者を異なる接着強度で固定しなければならず、製造コストの増大を招いていた。
【０００６】
また、後者において、使用時には包装体がゴミとして廃棄されることになるため、ゴミの量が増えるという問題があった。また、包装工程は、製品の製造工程とは別工程であり、製造コストの増大を招いていた。このような従来の除湿剤に関する課題は、気体との接触に応じて状態が変化する芳香剤、消臭剤、防虫剤、脱酸素剤等についても同様である。
【０００７】
本発明は、これら従来の課題に鑑みてなされたものであり、低コスト化を図りつつ、ゴミ量を低減させ、使用前の内容物の変化を防止することができる包装体及び除湿器を提供することを目的とするものである。
【０００８】
【課題を解決するための手段】
前記課題を解決するために本発明の請求項１の除湿器においては、空気中の水分を吸湿する除湿剤が収容された包装体を有する除湿器であって、空気中の水分の透過を遮断する非透気シートによって密閉空間を形成するとともに、該密閉空間内を、空気中の水分の透過を許容する透気シートによって、前記除湿剤が収容された収容空間、及び使用時に開口される開口空間に区画してなる前記包装体と、前記包装体を収容する容器体と、該容器体の上部開口部を覆うとともに通気口を有する蓋体と、を備え、前記透気シートを前記通気口が設けられた前記蓋体の内側面に沿って配置可能な大きさに設定し、当該蓋体に、前記容器体に内嵌するとともに前記透気シートを内側に配置した状態で位置規制する位置規制部を設ける一方、非透水性フィルムで構成された前記非透気シートの面積を前記透気シートより広く設定し、該透気シートを広げた状態で前記非透気シートが形成する前記収容空間内に水分を貯留可能に構成し、前記蓋体を前記容器体に装着した状態で前記蓋体に沿って配置された前記透気シートの下部であって前記容器体の内部に前記収容空間を配設した。
【００１６】
すなわち、空気中の水分を吸湿する除湿剤は、空気の透過を遮断する非透気シートによって形成された密閉空間内に収容されている。このため、外部の空気と前記除湿剤との接触が防止される。
【００１７】
そして、前記密閉空間は、透気シートによって区画されており、前記除湿剤が収容された収容空間は、使用時に開口される開口空間と分離されている。このため、前記開口空間が開口される使用時において、前記除湿剤の不用意な飛散が防止される。このとき、前記透気シートは、空気の透過を許容するため、前記除湿剤と外部の空気との接触が開始される。
また、前記包装体は、吸湿力を効率的に発揮するために、透気シートが容器体の上部開口部側を向くようにセットされる。このとき、この上部開口部は、通気口を備えた蓋体によって覆われるので、当該除湿器への異物の落下等に起因した前記透気シートの破損が防止される。
さらに、前記容器体に前記包装体を収容した状態において、前記除湿剤は、前記容器体の前記上部開口部近傍に配置される。
そして、このような蓋体と容器を採用することにより、嵌合部分に包装体が干渉することがないので、容器と蓋体を確実に嵌合させることができる。
【００１８】
また、請求項２の除湿器では、前記非透気シートからなる袋体の開口部側を、前記透気シートで閉鎖して前記収容空間を形成し、前記透気シートより開口縁側にて、前記袋体を接合し、この接合部分と前記透気シートとの間に前記開口空間を形成した。
【００１９】
すなわち、前記非透気シートからなる袋体に前記除湿剤が投入され、該除湿剤が収容される。そして、前記袋体に設けられた前記透気シートより開口縁側にて、前記袋体を接合することによって当該袋体が密閉される。
【００２０】
さらに、請求項３の除湿器にあっては、前記透気シート及び前記非透気シートを接合して両シート間に前記収容空間を形成するとともに、前記透気シートを折り返して対面させた状態で周縁部にて接合し、対面する前記透気シート間に前記開口空間を形成した。
【００２１】
すなわち、透気シートを対面させた状態で接合したため、空気の透過を許容する透気シートが内側に配置された状態で密閉される。
【００２７】
加えて、請求項４の除湿器では、前記蓋体の前記位置規制部より外側に、前記容器体の前記上部開口部に外嵌する周壁を設けた。
【００２８】
このような蓋体と容器を採用することにより、嵌合部分に包装体が干渉することがないので、容器と蓋体を確実に嵌合させることができる。
【００２９】
【発明の実施の形態】
（第１の実施の形態）
【００３０】
以下、本発明の第１の実施の形態を図に従って説明する。図１は、本実施の形態にかかる包装体１を示す断面図であり、該包装体１は、図２に示すように、当該包装体１を収容する容器体２と、該容器体２の上部開口部３を覆うとともに通気口（図示せず）を備えた蓋体４とによって除湿器５を構成する。
【００３１】
前記包装体１は、図１に示したように、気体としての空気の透過を遮断する非透気部である袋体１１を備えてなり、該袋体１１は、対を成す矩形状の非透水性フィルム１２，１２が、その底辺及び左右側辺にて接合されて形成されている。この袋体１１の開口部１３側の内側面には、気体としての空気の透過を許容する透気部であるシート体としての微多孔フィルム１４が熱シール部１４ａ，１４ａにて固定されている。これにより、この微多孔フィルム１４の下部には、収容空間１５が形成されており、該収容空間１５には、空気中の水分を吸湿する粒状の除湿薬剤１６，・・・が多数収容されている。
【００３２】
前記微多孔フィルム１４は、前記袋体１１の中央部にてＶ字状に折曲されており、袋体１１を横方向に展開できるように構成されている。
【００３３】
この袋体１１は、前記開口部１３の縁部及び下縁部が熱シール部１３ａ，１３ｂで接合された状態で閉鎖されており、当該袋体１１の内部には、空気の通流が遮断された密閉空間２１が形成されている。この上部の閉鎖部２２から前記微多孔フィルム１４までの間には、使用時に開口される開口空間２３が形成されており、前記密閉空間２１は、前記微多孔フィルム１４によって、前記収容空間１５と前記開口空間２３とに区画されている。
【００３４】
前記容器体２は、図２に示したように、プラスチックによって形成されており、前記上部開口部３には、前記蓋体４の周壁４ａを内嵌した状態で保持できるように構成されている。この周壁４ａは、図２の（ｂ）から（ｃ）に示すように、前記包装体１の前記微多孔フィルム１４を内側に配置した状態で位置規制できる寸法に設定されている。
【００３５】
また、前記容器体２の容積は、前記除湿薬剤１６，・・・による吸湿がほぼ飽和した状態における当該除湿薬剤１６，・・・と吸湿された水分とからなる内容物の体積以上となるように設定されている。
【００３６】
ここで、前記除湿薬剤１６，・・・として塩化カルシウムを用いた場合を例に挙げて説明する。
【００３７】
すなわち、塩化カルシウム・２水塩：１９０ｇを、容器容積：６２０ｍｌに充填して、４０℃、湿度９０％、２ヶ月の条件で吸湿させた場合、吸水がほぼ飽和する。このときの吸湿水分量は５４０ｇであった。
【００３８】
塩化カルシウム・２水塩は、２．８４倍の水分を吸水するため、このときの重量は、
【００３９】
｛塩化カルシウム・２水塩の重量（ｇ）×（１＋２．８４）｝ｇ  ・・・  （式Ａ）
【００４０】
となる。
【００４１】
容積に換算すると、
【００４２】
｛塩化カルシウム・２水塩の重量（ｇ）×（０．４２＋２．８４）｝ｍｌ  ・・・  （式Ｂ）
【００４３】
となる。
【００４４】
＊０．４２は塩化カルシウム・２水塩が水に解けたときの容量増加
【００４５】
そして、製品に必要な容器容積（ｍｌ）は、塩化カルシウム・２水塩の量（ｇ）によって決定される。単純には「塩化カルシウム・２水塩の重量（ｇ）×３〜４の容積（ｍｌ）」となるが、重量を単純に容積に置き換えることはできない。
【００４６】
このため、塩化カルシウム・２水塩の量を真の容積で計測すれば良いが、実際の塩化カルシウム・２水塩は粒状で、粒の隙間、粒内に含まれる空気が計算に含まれ、真の容積を容易に求めることは困難である。その方法としては、粉砕後、加圧して固める。数百℃で溶融する。一定量を水に溶かして増加容積を量る。等が挙げられる。
【００４７】
なお、一定量を水に溶かして増加容積を算出した値が、前述した０．４２であり、現時点において、これを比重としてもちいた。
【００４８】
これに対し、塩化カルシウム・２水塩の重量（ｇ）は簡単に求められ、これを比重（重量／容積）で割れば、容積がを算出できるが、比重を使うということは、重量と容積との変換になる。つまり、前述した（式Ｂ）において、比重を含んでおり、重量と容積との変換がなされたとする。
【００４９】
これらから、
【００５０】
｛塩化カルシウム・２水塩の重量（ｇ）／比重（ｇ／ｍｌ）×７〜１０＝容器容積｝  ・・・  （式Ｃ）
【００５１】
となる。（塩化カルシウム・２水塩の比重は２．３８（０．４２の逆数）を採用）この式を簡略化すると（式Ｂ）になる。
【００５２】
ここで、当初から塩化カルシウム・２水塩を容積で求めるのであれば４２ｍｌ＝１００ｇであるが、４２ｍｌの塩化カルシウム・２水塩という表現では、粒状物の容積を想像してしまうため注意を要する。
【００５３】
この方法で容器容積を算出すると、「塩化カルシウム・２水塩の容積の７〜１０倍の容積」となり、本実施の形態においては、前記容器体２の容積を、これから算出される値を採用した。
【００５４】
そして、この容器体２は、前記開口空間２３にて切断された前記包装体１を収容した状態で、前記除湿薬剤１６，・・・が前記容器体２の前記上部開口部３近傍に位置するような深さに設定されている。
【００５５】
以上の構成にかかる本実施の形態において、空気中の水分を吸湿する除湿薬剤１６，・・・は、空気の透過を遮断する非透水性フィルム１２，１２によって形成された袋体１１内の密閉空間２１に収容されている。このため、外部の空気と前記除湿薬剤１６，・・・との接触を防止することができる。したがって、使用開始前において、前記除湿薬剤１６，・・・による吸湿を防止することができる。
【００５６】
この除湿器５を使用する際には、図１中破線で示したように、前記包装体１上部をハサミ等でカットして前記密閉空間２１を開放する。このとき、前記除湿薬剤１６，・・・を収容した収容空間１５は、前記微多孔フィルム１４によって、前記開口空間２３と分離されている。このため、この開口空間２３を開口した状態において、前記除湿薬剤１６，・・・の不用意な飛散を防止することができる。そして、この微多孔フィルム１４は、空気の透過を許容するため、前記除湿薬剤１６，・・・と外部の空気との接触を開始することができる。
【００５７】
そして、この開口時には、前記開口空間２３をハサミでカットして開口するだけで良いので、吸湿効率上、大面積に設定された透気性シート上の非透気性シートを剥離しなければならず、この非透気シートがゴミとして廃棄されてしまう従来と比較して、ゴミの量を抑えることができる。また、透気性シート上に積層された非透気性シートを、前記透気性シートより剥がれ易く設定しなければならず、両者を異なる接着強度で固定しなければならなかった従来と比較して、製造コストを抑えることができる。また、従来の袋状除湿剤（器）や詰替用除湿薬剤のように非透気性の包装体で包装する必要がないので、ゴミ量が抑えられ、製造コストも低減できる。
【００５８】
次に、ハサミでカットされた袋体１１の開口部分を横方向に広げる。このとき、前記微多孔フィルム１４は、前記袋体１１の中央部にてＶ字状に折曲されており、袋体１１を横方向に展開できるように構成されている。このため、吸湿効率を左右する前記微多孔フィルム１４が占める面積を増大することができる。
【００５９】
そして、図２の（ｂ）に示したように、この微多孔フィルム１４を、反転した蓋体４に対面した状態で、当該蓋体４にセットする。このとき収容空間１５内の除湿薬剤１６，・・・は、展開された微多孔フィルム上に落下する。この蓋体４上に、図２の（ｃ）に示すように、反転した容器体２をの周壁４ａに内嵌した後、図２の（ｄ）に示すように、正立させて除湿器５を完成させる。尚、袋体１１を製造する際、収容空間１５内の空気の量を少なくしておけば、除湿器５を正立させた後も、除湿薬剤１６，・・・は除湿器５の開口部付近に位置できる。また、容器体２の高さに比べ、袋体１１の高さを高くして、容器体２で袋体下部を折り曲げることにより、除湿薬剤１６，・・・は除湿器５の開口部付近い位置できる。
【００６０】
このように組み立てることにより、前記容器体２に収納された前記包装体１は、微多孔フィルム１４が強制的に展開され、簡単に閉じてしまうことなく配設され、また、微多孔フィルム１４および除湿薬剤が容器体２の前記上部開口部３付近（近傍）に位置するため、一段と吸湿効率が向上する。また、容器と蓋体の嵌合部分に包装体が干渉することがないので、容器と蓋体を確実に嵌合させることができる。
【００６１】
また、前記微多孔フィルム１４が配置される容器体２の上部開口部３は、図外の通気口を備えた蓋体４によって覆われるので、当該除湿器５への異物の落下等に起因した前記微多孔フィルム１４の破損を防止することができる。これにより、除湿薬剤１６，・・・などの内容物の外部への流出を防止することができる。
【００６２】
さらに、前記容器体２の容積は、前記除湿薬剤１６，・・・による吸湿がほぼ飽和した状態における当該除湿薬剤１６，・・・と吸湿された水分とからなる内容物の体積以上に設定されている。このため、除湿後に包装体１に貯留される水分の外部への流出を阻止することができる。
【００６３】
一方、前記包装体１を製造する際には、前記袋体１１に前記除湿薬剤１６，・・・を投入することで、該除湿薬剤１６，・・・を包装体１に収容することができる。そして、前記袋体１１に設けられた前記微多孔フィルム１４より開口縁側にて、前記袋体１１を接合することで、当該袋体１１を密閉することができる。このように、簡単な工程で包装体１を製造することができるため、製造工程の簡素化を図ることができる。
【００６４】
（第２の実施の形態）
【００６５】
図３は、第２の実施の形態を示す図であり、第１の実施の形態と同一又は同等機能部分については、同一の符号を付して説明を割愛するとともに、異なる部分に付いてのみ説明する。
【００６６】
すなわち、前述した包装体１と共に除湿器３１を構成する容器体３２には、上部開口部３３が形成されており、該上部開口部３３の開口縁部には、側方に拡開した大径部３４が形成されている。これにより、前記蓋体３５の周壁３６を内嵌した状態で支持できるように構成されている。
【００６７】
本実施の形態においても、図３の（ｂ）に示したように、包装体１の微多孔フィルム１４を、反転した蓋体３５に対面させるとともに、当該蓋体３５の周壁３６の内側に配置した状態で位置規制する。そして、この蓋体３５上に、図３の（ｃ）に示すように、反転した容器体３２を嵌着した後、図３の（ｄ）に示すように、正立させて除湿器３１を完成させる。
【００６８】
（第３の実施の形態）
【００６９】
また、図４は、第３の実施の形態を示す図であり、第１の実施の形態と同一又は同等機能部分については、同一の符号を付して説明を割愛するとともに、異なる部分に付いてのみ説明する。
【００７０】
すなわち、前述した包装体１と共に除湿器１３１を構成する容器体１３２には、上部開口部１３３が形成されており、前記上部開口部１３３を閉鎖する蓋体１３５の周縁の位置規制部１３６上部には、容器体１３２の開口縁部に外嵌する周壁１３７が形成されている。前記位置規制部１３６は前記包装体１を取り付けた状態で位置規制し、前記周壁１３７は、この位置規制部１３６より外側に位置する。
【００７１】
本実施の形態においても、図４の（ｂ）に示したように、包装体１の微多孔フィルム１４を、反転した蓋体１３５に対面した状態で、当該蓋体１３５の位置規制部１３６の内側に配置した状態で位置規制する。そして、この蓋体１３５上に、図３の（ｃ）に示すように、反転した容器体１３２を嵌着した後、図４の（ｄ）に示したように、正立させて除湿器１３１を完成させる。
【００７２】
（第４の実施の形態）
【００７３】
また、図５は、第４の実施の形態を示す図であり、第１の実施の形態と同一又は同等機能部分については、同一の符号を付して説明を割愛するとともに、異なる部分に付いてのみ説明する。
【００７４】
すなわち、前述した包装体１と共に除湿器２３１を構成する容器体２３２には、上部開口部２３３が形成されており、前記上部開口部２３３を閉鎖する蓋体２３５には、前記包装体１の前記微多孔フィルム１４を内側に配置した状態で位置規制する位置規制部２３６が立設されている。該位置規制部２３６の外周部には、前記容器体２３２の前記上部開口部２３３に外嵌する周壁２３７が形成されている。
【００７５】
本実施の形態においても、図５の（ｂ）に示したように、包装体１の微多孔フィルム１４を、反転した蓋体２３５に対面した状態で、当該蓋体２３５の位置規制部２３６の内側に配置した状態で位置規制する。そして、この蓋体２３５上に、図５の（ｃ）に示すように、反転した容器体２３２を嵌着した後、図５の（ｄ）に示したように、正立させて除湿器２３１を完成させる。
【００７６】
（第５の実施の形態）
【００７７】
図６は、第５の実施の形態を示す図であり、第１の実施の形態と同一又は同等機能部分については、同一の符号を付して説明を割愛するとともに、異なる部分に付いてのみ説明する。
【００７８】
すなわち、微多孔フィルム１４が固定された袋体１１の部位には、当該微多孔フィルム１４を包囲するプラスチック製の骨格部材４１が設けられている。
【００７９】
これにより、前記微多孔フィルム１４の引張状態を確保することができ、除湿効果を維持することができる。
【００８０】
（第６の実施の形態）
【００８１】
図７及び図８は、本発明の第６の実施の形態を示す図であり、包装体５１のみについて説明する。
【００８２】
すなわち、この包装体５１は、除湿薬剤５２，・・・を収容した一対の収容部５３，５３によって形成されている。該容収容部５３は、気体としての空気の透過を遮断する非透気シートとしての非透過性フィルム５４と、気体である空気の透過を許容する透気シートからなる透過性フィルム５５とが周縁部５１ａ及び中央部５１ｂにて接合されてなり、両フィルム５４，５５間には、粒状の前記除湿薬剤５２，・・・を多数収容した収容空間５６が形成されている。
【００８３】
両収容部５３，５３は、図８に示すように、前記透過性フィルム５５を対面させた状態で、周縁部にコ字状に形成された耳部６１の縁部６１ａにて接合されている（図８の（ｂ）参照）。これにより、当該包装体５１内には、密閉空間６２が形成されているとともに、前記両収容部５３，５３の前記透過性フィルム５５，５５間には、使用時に開口される開口空間６３が形成されている。
【００８４】
以上の構成にかかる本実施の形態において、空気中の水分を吸湿する除湿薬剤５２，・・・は、空気の透過を遮断する非透過性フィルム５４，５４で包囲された密閉空間６２内に収容されている。このため、外部の空気と前記除湿薬剤５２，・・・との接触を防止することができる。したがって、使用開始前において、前記除湿薬剤５２，・・・による吸湿を防止することができる。
【００８５】
この包装体５１を使用する際には、図８中破線で示したように、切取線７１ａに沿って、前記包装体５１の周縁部をハサミ等でコ字状にカットして前記密閉空間６３を開放する。このとき、前記除湿薬剤５２，・・・を収容した収容空間５６は、前記透過性フィルム５５，５５によって、前記開口空間６３と分離されている。このため、前記両容器部５３を、図７に示したように、左右に展開して、前記開口空間６３を開口した状態において、前記除湿薬剤５２，・・・の不用意な飛散を防止することができる。また、この透過性フィルム５５は、空気の透過を許容するため、前記除湿薬剤５２，・・・と外部の空気との接触を開始することができる。
【００８６】
そして、この開口時には、包装体５１の周縁部をハサミでカットして開口するだけで良いので、吸湿効率上、大面積に設定された透気性シート上の非透気性シートを剥離しなければならず、この非透気シートがゴミとして廃棄されてしまう従来と比較して、ゴミの量を抑えることができる。また、透気性シート上に積層された非透気性シートを、前記透気性シートより剥がれ易く設定しなければならず、両者を異なる接着強度で固定しなければならなかった従来と比較して、製造コストを抑えることができる。
【００８７】
また、従来の袋状除湿剤（器）や詰替用除湿薬剤のように非透気性の包装体で包装する必要がないので、ゴミ量が抑えられ、製造コストも低減できる。なお、本実施の形態において非透気性シートとして非透過フィルム５４を用いたが、非透過性の成形容器を用い、該成形容器の周縁部を疑似接着し、使用時に剥がすようにしても良い。
【００８８】
（第７の実施の形態）
【００８９】
図９及び図１０は、第７の実施の形態を示す図であり、第６の実施の形態と同一又は同等機能部分については、同一の符号を付して説明を割愛するとともに、異なる部分に付いてのみ説明する。
【００９０】
すなわち、本実施の形態にかかる包装体７１は、非透過性フィルム５４と透過性フィルム５５とが周縁部５１ａのみで接合されており、両フィルム５４，５５間には、粒状の除湿薬剤５２，・・・を多数収容した一つの収容空間５６が形成されている。
【００９１】
これにより、展開時において、第６の実施の形態と比較して、透過性フィルム５５の面積のさらなる増大を図ることができる。
【００９２】
なお、前述した各実施の形態にあっては、除湿薬剤１６，・・・，５２，・・・を収容した包装体１，５１，７１を例に挙げて説明したが、これに限定されるものではなく、空気との接触に応じて状態が変化する物質、例えば芳香剤、防虫剤、忌避剤、脱臭剤、消臭剤、除湿剤、乾燥剤、脱酸素剤、簡易カイロ、窒素酸化物吸収体等を収納した袋体であっても良い。さらには、これらの成分の揮散、吸収等により状態が変化したことにより発色、透明性変化など、変化が目視で判定できるようにした経時インジケーター、水分インジケーター、酸素濃度インジケーター、窒素酸化物インジケーター等が挙げられる。また、透気性部材としては、微多孔フィルムを例に挙げて説明したが、目的成分が透過でき、かつ成分の飛散が防止できれば特に限定されることはなく、製品の目的により適宜選択することができる。具体的には、不織布、有孔フィルム、紙、ポリウレタン、ポリエチレン、エチレン酢酸ビニル共重合体、ポリプロピレン、ナイロン等を挙げることができる。
【００９３】
【実施例】
非透気性シートとしてアルミナ蒸着ＰＥＴ１５μｍ厚／ＬＬＤＰＥ６０μｍ厚
【００９４】
透気性シートとして芯：ＰＥＴ／鞘：ＰＥの不織布を両面に貼り合わせたポリオレフィン系微多孔膜７０μｍ厚
【００９５】
を用いて図１１のような本発明品１の袋状除湿器３０１作成した。
【００９６】
なお、第１の実施の形態と同一又は同等機能部分については、同一の符号を付して説明を割愛する。また、図１１中において、寸法Ｓ１＝２５０ｍｍ、寸法Ｓ２＝１６０ｍｍ、寸法Ｓ３＝５０ｍｍとする。
【００９７】
本発明品１の袋状除湿器３０１を、図１２に示すように、下容器：幅Ｗ＝２００ｍｍ×奥行Ｄ＝８５ｍｍ×高さＨ＝７０ｍｍ  蓋体３０２格子状の容器３０３に入れ本発明品２の除湿器３０４を作成した。
【００９８】
本発明品１および２を用いて次の項目で試験を行った。
【００９９】
▲１▼製品性能劣化試験
【０１００】
上記で作成した本発明品１の袋状除湿器３０１を温度４０℃、湿度９０％の条件下に２ヶ月放置し、放置後の重量を測定した。その結果放置前に比べて放置後は、約２ｇの増加が見られた。これは流通２年間で有意な性能劣化は発生しないものである。
【０１０１】
▲２▼吸湿速度比較
【０１０２】
１：本発明品１の袋状除湿器３０１を図１１の点線部３１１をハサミでカットしたものを、微多孔膜を展開させるだけ（吸湿薬剤が袋の底部側にある状態）で、下容器：幅Ｗ＝２００ｍｍ×奥行Ｄ＝８５ｍｍ×高さＨ＝７０ｍｍ  蓋体３０２格子状の容器３０３に入れた。
【０１０３】
２：本発明品１の袋状除湿器３０１を図９の点線部３１１をハサミでカットしたものを、微多孔膜を展開させ除湿薬剤１６，・・・が微多孔フィルム１４側にある状態で、下容器：幅Ｗ＝２００ｍｍ×奥行Ｄ＝８５ｍｍ×高さＨ＝７０ｍｍ
蓋体３０２格子状の容器３０３に入れた。
【０１０４】
３：市販のタンクタイプ（エステー化学株式会社製  商品名「ドライペットスキット」吸湿薬剤１８０ｇ）
【０１０５】
以上の３種の製品をそれぞれ温度４０℃、湿度９０％の環境に３週間放置し増加重量を測定した。
【０１０６】
結果は、１は３３０ｇ、２は６４０ｇ、３は５８０ｇであった。より好ましい使用形態は、２であることがわかった。
【０１０７】
▲３▼耐衝撃試験（落下試験）
【０１０８】
３５０ｇ吸湿した状態の薬剤袋を、
【０１０９】
１：薬剤袋そのまま。
【０１１０】
２：幅Ｗ＝２００ｍｍ×奥行Ｄ＝８５ｍｍ×高さＨ＝７０ｍｍの紙箱内に入れたもの。
【０１１１】
３：幅Ｗ＝２００ｍｍ×奥行Ｄ＝８５ｍｍ×高さＨ＝７０ｍｍ  蓋体３０２格子状のプラスチック製の容器３０３内に入れたもの。
【０１１２】
をそれぞれ１．２ｍの高さ位置から正面落下させ、耐衝撃性を評価した。
【０１１３】
その結果、１：破袋、２：破袋、３：正常（破袋せず）という結果になった。
よって、より好ましい使用形態は、３であることがわかった。
【０１１４】
【発明の効果】
以上説明したように本発明の請求項１の除湿器にあっては、空気中の水分を吸湿する除湿剤を、空気の透過を遮断する非透気シートによって形成された密閉空間内に収容することで、外部の空気との接触を防止することができる。したがって、使用開始前において、前記除湿剤による吸湿を防止することができる。
【０１２１】
使用時には、前記密閉空間を開放する。このとき、前記除湿剤を収容した収容空間は、前記透気シートによって、使用時に開口される開口空間と分離されている。このため、この開口空間を開口した状態において、前記除湿剤の不用意な飛散を防止することができる。そして、この透気シートは、空気の透過を許容するため、前記除湿剤と外部の空気との接触を開始することができる。
【０１２２】
そして、開口時には、前記開口空間を開口するだけで良いので、吸湿効率上、大面積に設定された透気性シート上の非透気性シートを剥離しなければならず、この非透気シートがゴミとして廃棄されてしまう従来と比較して、ゴミの量を抑えることができる。また、透気性シート上に積層された非透気性シートを、前記透気性シートより剥がれ易く設定しなければならず、両者を異なる接着強度で固定しなければならなかった従来と比較して、製造コストを抑えることができる。
【０１２３】
また、従来の袋状除湿剤（器）や詰替用除湿薬剤のように非透気性包装体で包装する必要がないので、ゴミ量が抑えられ、製造コストも低減できる。なお、本実施の形態において非透気性シートとして非透過性フィルムを用いたが、非透過性の成形容器を用い、該成形容器の周縁部を擬似接着し、使用時に剥がすようにしても良い。
さらに、前記包装体は、吸湿力を効率的に発揮するために、透気シートが容器体の上部開口部側を向くようにセットされる。ここで、この上部開口部は、通気口を備えた蓋体によって覆われるので、当該除湿器への異物の落下等に起因した前記透気シートの破損を防止することができる。これにより、除湿剤などの内容物の外部への流出を防止することができる。包装体の透気シートが強制的に展開され、簡単に閉じてしまうことなく配設され、また、透気シート及び除湿薬剤が容器体の前記上部開口部付近（近傍）に位置するため、一段と吸湿効率が向上する。
加えて、前記容器体に前記包装体を収容した状態において、除湿剤を前記容器体の前記上部開口部近傍に配置することができる。したがって、前記除湿剤が、前記上部開口部より底部側に配置される場合と比較して、吸湿効率を高めることができる。
そして、前記蓋体に、前記容器体の前記上部開口部に内嵌されるとともに、前記包装体の前記透気シートを内側に配置した状態で位置規制する位置規制部を設けた。したがって、容器と蓋体の嵌合部分に包装体が干渉することがないので、容器と蓋体を確実に嵌合させることができる。
【０１２４】
さらに、請求項２の除湿器では、前記非透気シートからなる袋体に前記除湿剤を投入することで、該除湿剤を包装体に収容することができる。そして、前記袋体に設けられた前記透気シートより開口縁側にて、前記袋体を接合することで、当該袋体を密閉することができる。このように、簡単な工程で包装体を製造することができるため、製造工程の簡素化を図ることができる。
【０１２５】
また、請求項３の除湿器にあっては、透気シートを対面させた状態で接合したため、空気の透過を許容する透気シートを内側に配置した状態で密閉することができる。
【０１３０】
加えて、請求項４の除湿器では、前記蓋体に、前記包装体の前記透気シートを内側に配置した状態で位置規制する位置規制部を設けるとともに、該位置規制部より外側に、前記容器体の前記上部開口部に外嵌する周壁を設けた。
【０１３１】
このような簡単な構造で、容器体及び蓋体を構成することができる。
【図面の簡単な説明】
【図１】  本発明の第１の実施の形態を示す模式図である。
【図２】  同実施の形態の使用状態を示す説明図である。
【図３】  本発明の第２の実施の形態の使用状態を示す説明図である。
【図４】  本発明の第３の実施の形態の使用状態を示す説明図である。
【図５】  第４の実施の形態の使用状態を示す説明図である。
【図６】  本発明の第５の実施の形態を示す模式図である。
【図７】  本発明の第６の実施の形態を展開した状態を示す模式図である。
【図８】  同実施の形態を示す模式図である。
【図９】  本発明の第７の実施の形態を展開した状態を示す模式図である。
【図１０】  同実施の形態を示す模式図である。
【図１１】  本発明の実施例で用いた袋状除湿器を示す模式図である。
【図１２】  本発明の実施例における下容器を示す図である。
【符号の説明】
１    包装体
２    容器体
３    上部開口部
４    蓋体
４ａ  周壁
５    除湿器
１１    袋体
１２    非透水性フィルム（非透気部）
１４    微多孔性フィルム（透気部）
１５    収容空間
１６    除湿薬剤（除湿剤）
２１    密閉空間
２３    開口空間
３１    除湿器
３２    容器体
３３    上部開口部
３５    蓋体
５１    包装体
５２    除湿薬剤
５３    収容部
５４    非透過性フィルム（非透気シート）
５５    透過性フィルム（透気シート）
５６    収容空間
６２    密閉空間
６３    開口空間
７１    包装体
５２    除湿薬剤
５３    収容部
５４    非透過性フィルム（非透気シート）
５５    透過性フィルム（透気シート）
５６    収容空間
６２    密閉空間
６３    開口空間
１３１    除湿器
１３２    容器体
１３３    上部開口部
１３５    蓋体
１３６    位置規制部
１３７    周壁
２３１    除湿器
２３２    容器体
２３３    上部開口部
２３５    蓋体
２３６    位置規制部
２３７    周壁
３０１    袋状除湿器
３０３    容器
３０４    除湿器
【図１】
0004850347.tif 000002
【図２】
0004850347.tif 000003
【図３】
0004850347.tif 000004
【図４】
0004850347.tif 000005
【図５】
0004850347.tif 000006
【図６】
0004850347.tif 000007
【図７】
0004850347.tif 000008
【図８】
0004850347.tif 000009
【図９】
0004850347.tif 000010
【図１０】
0004850347.tif 000011
【図１１】
0004850347.tif 000012
【図１２】
0004850347.tif 000013